(57)【要約】【課題】  本発明の課題は、自動車の車種を決めると同時にその車種を購入する販売店を選定するのに適した掲載形式の自動車情報誌を提供することにある。【解決手段】  本発明は、１の自動車に関する情報が表記される第１の枠と、前記１の自動車を取り扱う１または１以上の販売店に関する情報が表記される第２の枠と、を並設して同一ページ内に収め、前記第２の枠には、各販売店に関する情報が表記される個別販売店欄を設けてこれらを列設し、前記個別販売店欄には、前記販売店の位置を示す位置情報が表記される第１の項目欄と、前記販売店における自動車の取り扱い状況を示す現車情報が表記される第２の項目欄と、を設けてこれらを並設したことを特徴とする。【選択図】  図２
2004351920.tif 000002
【特許請求の範囲】
【請求項１】
１の自動車に関する情報が表記される第１の枠と、前記１の自動車を取り扱う１または１以上の販売店に関する情報が表記される第２の枠と、を並設して同一ページ内に収め、
前記第２の枠には、
各販売店に関する情報が表記される個別販売店欄を設けてこれらを列設し、
前記個別販売店欄には、
前記販売店の位置を示す位置情報が表記される第１の項目欄と、前記販売店における自動車の取り扱い状況を示す現車情報が表記される第２の項目欄と、を設けてこれらを並設したことを特徴とする自動車情報誌。
【請求項２】
前記第２の項目欄は、
前記自動車が展示されているか否かを示す展示車情報が表記される欄及び／または前記販売店において前記自動車が試乗できるか否かを示す試乗車情報が表記される欄を備えたことを特徴とする請求項１記載の自動車情報誌。
【請求項３】
前記第２の項目欄に表記される展示車情報及び／または試乗車情報を、記号表示したことを特徴とする請求項２記載の自動車情報誌。
【請求項４】
１ページを上下に分割して得られる上側の領域に前記第１の枠を配置するとともに下側の領域に前記第２の枠を配置し、
前記第１の枠には、自動車の外観を示す画像情報が表記される欄と、前記自動車の性能に関する情報が表記される欄と、を設けてこれらを縦方向に並設したことを特徴とする請求項１から３いずれか記載の自動車情報誌。
【請求項５】
車種毎に索引が設けられたページを綴じてなる第１の掲載部と、販売店毎に索引が設けられたページを綴じてなる第２の掲載部とを備え、
前記第１の掲載部には、
１の自動車に関する情報が表記される第１の枠と、前記１の自動車を取り扱う１または１以上の販売店に関する情報が表記される第２の枠と、を並設して同一ページ内に収め、
前記第２の枠には、
各販売店に関する情報が表記される個別販売店欄を設けてこれらを列設し、
前記個別販売店欄には、
前記販売店の位置を示す位置情報が表記される第１の項目欄と、前記販売店における自動車の取り扱い状況を示す現車情報が表記される第２の項目欄と、を設けてこれらを並設し、
前記第２の掲載部には、
前記販売店が取り扱う自動車の画像情報が表記される第３の枠と、前記各販売店に関する個々の情報が表記される第４の枠と、それぞれ対向する各ページ内に収め、
前記第４の枠には、
販売店毎かつ車種毎の自動車の取り扱い状況を示す現車情報が表形式で表記される表形式欄と、販売店の位置を示した地図が表記される地図掲載欄とを並設したことを特徴とする自動車情報誌。
【請求項６】
自動車情報を表示する所定の表示媒体に前記自動車情報を表示する表示方法であって、
前記表示媒体に設けられた１の自動車情報を表示する自動車情報表示欄を区分して第１の枠と第２の枠とを得るとともに、この得られた第１の枠に自動車に関する情報を表記し、前記得られた第２の枠に前記１の自動車を取り扱う１または１以上の販売店に関する情報を表記し、
前記第２の枠には、この第２の枠を区分して得られる個別販売展欄を用いて各販売店に関する情報を表記し、
前記個別販売店欄をさらに分割して第１の項目欄と第２の項目欄を得るとともに、前記第１の項目欄に前記販売店の位置を示す位置情報を表記し、前記第２の項目欄に前記販売店における自動車の取り扱い状況を示す現車情報を表記することを特徴とする自動車情報表示方法。
【請求項７】
前記第２の項目欄を用いて、前記自動車が展示されているか否かを示す展示車情報が表記される欄及び／または前記販売店において前記自動車が試乗できるか否かを示す試乗車情報を表記することを特徴とする請求項６に記載の自動車情報表示方法。
【請求項８】
前記展示車情報及び／または試乗車情報を、記号表示したことを特徴とする請求項７記載の自動車情報表示方法。
【請求項９】
前記第１の枠の下側の領域に前記第２の枠を配置し、
前記第１の枠において、自動車の外観を示す画像情報が表記される欄と、前記自動車の性能に関する情報が表記される欄と、を縦方向に並設したことを特徴とする請求項６から８いずれか記載の自動車情報表示方法。
【請求項１０】
第１の枠に１の自動車に関する情報が表記され、第２の枠に前記１の自動車を取り扱う１または１以上の販売店に関する情報が表記され、
前記第２の枠において、個別販売展欄を用いて前記販売店に関する情報が表記され、
前記個別販売店欄において、第１の項目欄を用いて前記販売店に関する情報に含まれる販売店の位置を示す位置情報が表記され、かつ第２の項目欄を用いて前記販売店に関する情報に含まれる当該販売店における自動車の取り扱い状況を示す現車情報が表記されることを特徴とする自動車情報提供方法。
【請求項１１】
前記第２の項目欄を用いて、前記自動車が展示されているか否かを示す展示車情報が表記される欄及び／または前記販売店において前記自動車が試乗できるか否かを示す試乗車情報が表記されることを特徴とする請求項１０に記載の自動車情報表示方法。
【請求項１２】
前記第２の項目欄に表記される展示車情報及び／または試乗車情報が、記号表示されることを特徴とする請求項１１記載の自動車情報表示方法。
【請求項１３】
前記第１の枠と前記第２の枠が配置され、
前記第１の枠において、自動車の外観を示す画像情報が表記される欄と、前記自動車の性能に関する情報が表記される欄と、が配置されることを特徴とする請求項１０から１２いずれか記載の自動車情報提供方法。
【請求項１４】
１の自動車に関する情報が表記される第１の枠と、前記１の自動車を取り扱う１または１以上のディーラに関する情報が表記される第２の枠と、を並設して同一ページ内に収め、
前記第２の枠には、
前記ディーラより提供されるサービスの内容を示すサービス情報が表記されるサービス情報欄を設けたことを特徴とする自動車情報誌。
【発明の詳細な説明】
【技術分野】
【０００１】
本発明は、自動車に関する情報が表記される自動車情報を提供する際のレイアウトに関し、特に、自動車と販売店に関する情報が表記される自動車情報のレイアウトに関する。
【背景技術】
【０００２】
従来、自動車に関する情報を掲載する自動車情報誌が知られている。例えば、登録実用新案第３０８２１８０号公報に記載されたものは、自動車情報掲載部を構成するページ内に各自動車情報を掲載した自動車情報欄１０を配置し、この自動車情報欄１０に当該自動車を販売する販売店の情報を掲載した販売店欄の位置を示す位置情報２ｇを掲載する、というものである（特許文献１参照）。
【特許文献１】登録実用新案第３０８２１８０号公報
【発明の開示】
【発明が解決しようとする課題】
【０００３】
ところで、消費者が自動車を購入する際の購入活動は、典型的には、所望の自動車の選定作業、販売店の選定作業、そして、購入作業、という流れになっている。そして、これらの作業には、各種情報の取得とこの取得した情報の比較検討が必要である。各種情報を掲載した自動車情報誌は、消費者の自動車の選定作業及び販売店の選定作業の利便性を供与するものとして広く利用されている。
【０００４】
ここで、自動車の選定作業では、自動車の外観・内装・性能・価格等の情報を比較検討して所望する車種を決定することが重要である。一方、販売店（ディーラー）の選定作業においては、販売店の住所・電話番号等の情報を比較検討してアクセスの容易な販売店を決定するとともに、実際に見たい実車（現物：自身が選定した車種）を展示している、さらには試乗ができる販売店を選択することや、自信が希望するサービスを提供している販売店を選択することが重要である。
【０００５】
なぜなら、スペース等の問題から、販売店に実際に展示されている車種は、その販売店が取り扱う車種の一部に限られているため、消費者が訪問した販売店に現物が展示されているとは限らないからである。また、各販売店は、その販売店が属するディーラごとに、適宜、自動車用品や子供向け商品のプレゼントを準備したり、無料洗車やキッズコーナを設ける等のサービスを提供したりして消費者を勧誘するのが一般的である。よって、消費者が、これらのサービス内容を事前に把握することができれば、所望するサービスを提供するディーラの販売店を選択することができる。
【０００６】
しかしながら、上述したような従来の自動車情報誌は、自動車の紹介や自動車の選定を目的にしたレイアウト構成になっている場合が多い。つまり、消費者が自動車の外観・内装・性能・価格等の情報を比較検討して所望する車種を決定しやすいように情報を配置する点について考慮されているものの、消費者がサービス内容等で販売店を選定し、さらには実車の観察や試乗の機会を提供するという観点での情報の配置については十分に考慮されていなかった。
【０００７】
例えば、実用新案登録第３０６６８５８号公報に記載されたものは、自動車情報欄に販売店の位置情報を単に掲載する販売店欄を配置するに留まっている。よって、現物を確認したいと考えている消費者が、当該位置情報に基づいて所定の販売店を訪問しても、その販売店に現物が展示されていない場合には、消費者の行動は無駄足となり、販売店の選定に失敗したことになる。また、サービスＡを期待する消費者が所定の販売店を訪問したところ、その販売点が提供しているのはサービスＢで、サービスＡは他の販売店で実施されているような場合にも、消費者は最適な販売店を選択することができなかったことになる。
【０００８】
自動車情報誌の販売店欄に電話番号を掲載することで消費者が事前にこれらの内容を確認するという方法も考えられるが、このような作業を消費者に強いることは、自動車情報誌を利用する消費者の利便性を損なうものであり、妥当ではない。
【０００９】
よって、消費者が、所望の自動車の選定作業と、この選定作業で選定された自動車に関する最適な販売店の選定作業の実行を、さらには消費者が実車の観察や試乗の機会の獲得を、確実かつ煩雑な作業を要することなく行えるようなレイアウトの自動車情報誌が望まれる。
【００１０】
そこで、本願発明は、自動車の車種を決めると同時にその車種に関する実車の観察や試乗の機会を獲得できる販売店を選定するのに適した掲載形式の自動車情報誌を提供することを課題とするものである。
【００１１】
また、本願発明は、自動車の車種を決めると同時に所望するサービスを提供する販売店を選定するのに適した掲載形式の自動車情報誌を提供することを課題とするものである。
【課題を解決するための手段】
【００１２】
上記課題を解決するための本発明は、１の自動車に関する情報が表記される第１の枠と、前記１の自動車を取り扱う１または１以上の販売店に関する情報が表記される第２の枠と、を並設して同一ページ内に収め、前記第２の枠には、各販売店に関する情報が表記される個別販売店欄を設けてこれらを列設し、前記個別販売店欄には、前記販売店の位置を示す位置情報が表記される第１の項目欄と、前記販売店における自動車の取り扱い状況を示す現車情報が表記される第２の項目欄と、を設けてこれらを並設したことを特徴とする自動車情報誌である。
【００１３】
上記自動車情報誌は、適宜以下の構成を採用することが可能である。
【００１４】
前記第２の項目欄は、前記自動車が展示されているか否かを示す展示車情報が表記される欄及び／または前記販売店において前記自動車が試乗できるか否かを示す試乗車情報が表記される欄を備える。
【００１５】
また、前記第２の項目欄に表記される展示車情報及び／または試乗車情報を、記号表示してもよい。
【００１６】
さらにまた、１ページを上下に分割して得られる上側の領域に前記第１の枠を配置するとともに下側の領域に前記第２の枠を配置し、前記第１の枠には、自動車の外観を示す画像情報が表記される欄と、前記自動車の性能に関する情報が表記される欄と、を設けてこれらを縦方向に並設してもよい。
【００１７】
また、本発明は、車種毎に索引が設けられたページを綴じてなる第１の掲載部と、販売店毎に索引が設けられたページを綴じてなる第２の掲載部とを備え、前記第１の掲載部には、１の自動車に関する情報が表記される第１の枠と、前記１の自動車を取り扱う１または１以上の販売店に関する情報が表記される第２の枠と、を並設して同一ページ内に収め、前記第２の枠には、各販売店に関する情報が表記される個別販売店欄を設けてこれらを列設し、前記個別販売店欄には、前記販売店の位置を示す位置情報が表記される第１の項目欄と、前記販売店における自動車の取り扱い状況を示す現車情報が表記される第２の項目欄と、を設けてこれらを並設し、前記第２の掲載部には、前記販売店が取り扱う自動車の画像情報が表記される第３の枠と、前記各販売店に関する個々の情報が表記される第４の枠と、それぞれ対向する各ページ内に収め、前記第４の枠には、販売店毎かつ車種毎の自動車の取り扱い状況を示す現車情報が表形式で表記される表形式欄と、販売店の位置を示した地図が表記される地図掲載欄とを並設したことを特徴とする自動車情報誌である。
【００１８】
また、本願発明は、自動車情報を表示する所定の表示媒体に前記自動車情報を表示する表示方法であって、前記表示媒体に設けられた１の自動車情報を表示する自動車情報表示欄を区分して第１の枠と第２の枠とを得るとともに、この得られた第１の枠に自動車に関する情報を表記し、前記得られた第２の枠に前記１の自動車を取り扱う１または１以上の販売店に関する情報を表記し、前記第２の枠には、この第２の枠を行方向に区分して得られる個別販売展欄を用いて各販売店に関する情報を表記し、前記個別販売店欄をさらに分割して第１の項目欄と第２の項目欄を得るとともに、前記第１の項目欄に前記販売店の位置を示す位置情報を表記し、前記第２の項目欄に前記販売店における自動車の取り扱い状況を示す現車情報を表記することを特徴とする自動車情報表示方法である。
【００１９】
前記第２の項目欄を用いて、前記自動車が展示されているか否かを示す展示車情報が表記される欄及び／または前記販売店において前記自動車が試乗できるか否かを示す試乗車情報を表記してもよい。
【００２０】
前記展示車情報及び／または試乗車情報を、記号表示してもよい。
【００２１】
前記第１の枠の下側の領域に前記第２の枠を配置し、前記第１の枠において、自動車の外観を示す画像情報が表記される欄と、前記自動車の性能に関する情報が表記される欄と、を縦方向に並設してもよい。
【００２２】
また、本発明は、第１の枠に１の自動車に関する情報が表記され、第２の枠に前記１の自動車を取り扱う１または１以上の販売店に関する情報が表記され、前記第２の枠において、個別販売展欄を用いて前記販売店に関する情報が表記され、前記個別販売店欄において、第１の項目欄を用いて前記販売店に関する情報に含まれる販売店の位置を示す位置情報が表記され、かつ第２の項目欄を用いて前記販売店に関する情報に含まれる当該販売店における自動車の取り扱い状況を示す現車情報が表記されることを特徴とする自動車情報提供方法である。
【００２３】
前記第２の項目欄を用いて、前記自動車が展示されているか否かを示す展示車情報が表記される欄及び／または前記販売店において前記自動車が試乗できるか否かを示す試乗車情報が表記されることを特徴とする自動車情報提供方法。
【００２４】
前記第２の項目欄に表記される展示車情報及び／または試乗車情報が、記号表示されることを特徴とする自動車情報提供方法。
【００２５】
前記第１の枠と前記第２の枠が配置され、前記第１の枠において、自動車の外観を示す画像情報が表記される欄と、前記自動車の性能に関する情報が表記される欄と、が配置されることを特徴とする自動車情報提供方法。
【００２６】
また、本発明にかかる自動車情報誌は、１の自動車に関する情報が表記される第１の枠と、前記１の自動車を取り扱う１または１以上のディーラに関する情報が表記される第２の枠と、を並設して同一ページ内に収め、前記第２の枠には、前記ディーラより提供されるサービスの内容を示すサービス情報が表記されるサービス情報欄を設けたことを特徴とする。
【発明の効果】
【００２７】
本発明によれば、自動車の車種を決めると同時にその車種に関する実車の観察や試乗の機会を獲得できる販売店を選定するのに適した掲載形式を提供することが可能になる。
【００２８】
また、本発明によれば、自動車の車種を決めると同時にその車種に関するディーラのサービス内容を把握して販売店を選定するのに適した掲載形式を提供することが可能になる。
【発明を実施するための最良の形態】
【００２９】
［第１の実施の形態］。
【００３０】
本実施形態に係る自動車情報誌は、自動車の車種を選定するためのページに、販売店における実車の取り扱い状況を示す現車情報（例えば、実車の展示情報や実車の試乗情報）を表記するという新規かつ斬新なアイデアに基づくものであり、販売店における現車情報を利用者が把握しやすい形式でページ上に配置することにより、車種選定及び販売店選定の双方に最適な自動車情報誌を提供することが可能になる。
【００３１】
次に、本発明の実施の形態について、図面を参照しつつ説明する。図１は、本発明に係る自動車情報誌を示す斜視図である。図２は、本発明に係る自動車情報誌を構成する自動車情報掲載部の、任意の１ページ内のレイアウトを示す正面図である。図３は、図２に記載したレイアウトの一部を拡大した部分拡大図である。図４は、図２に記載したレイアウトの一部を拡大した部分拡大図である。図５は、本発明に係る自動車情報誌を構成する販売店情報掲載部の、任意の見開きページ内のレイアウトを示す正面図である。図６は、図５に記載したレイアウトの一部を拡大した部分拡大図である。図７は、図５に記載したレイアウトの一部を拡大した部分拡大図である。
【００３２】
［自動車情報誌のレイアウト］
図１は、本発明に係る自動車情報誌を示す斜視図である。図１に示すように、自動車情報誌１は、表紙１Ａ、自動車に関する情報が車種毎に表記されたページを綴じて構成される自動車情報掲載部１Ｂと、販売店に関する情報が販売店毎に表記されたページを綴じて構成される販売店情報掲載部１Ｃと、から構成される。自動車情報掲載部１Ｂの各ページには、自動車情報掲載部であることを示すとともに、該当ページが掲載している車種の種類が表記される見出し欄１Ｂ’（例えば、「車種を選ぼう！  コンパクトカー  」）が設けられている。また、販売店情報掲載部１Ｂの各ページには、販売店情報掲載部であることを示すとともに、該当ページが掲載している販売店の名称が表記される見出し欄１Ｃ’（例えば、「ほしいクルマのショールームをのぞいてみよう！  ×××××○○○○神奈川  」）が設けられている。
【００３３】
［自動車情報掲載部のレイアウト］
図２は、本発明に係る自動車情報誌を構成する自動車情報掲載部の、任意の１ページ内のレイアウトを示す正面図である。
図２に示すように、自動車情報誌１の自動車情報掲載部１Ａの各ページには、横方向の区画線により分割した上下の枠２及び３が設けられている。上側の枠２内には、自動車に関する情報が表記され、下側の枠３内には、販売店に関する情報が表記される。なお、図２に示した自動車情報掲載部１Ａは、当該ページを見開いた場合に、利用者から見て左側に位置するページである。なお、これら本実施形態に係る図面にて所定の領域を示す鎖線は、説明の便宜上表したものであり、本実施形態に係る自動車情報誌のレイアウトを構成するものではない。例えば、図２における枠２及び枠３の四囲は、所定の鎖線で表されているが、これらは枠２及び枠３の領域を説明するために便宜上用いたものであり、本実施形態に係る自動車情報誌のページ上には表記されていないものである。
【００３４】
上側の枠２内は更に縦横の区画線により細分して区画される。具体的には、車種の売り文句と価格帯が表記されるタイトル欄２Ａ、自動車の画像データが表記される画像欄２Ｂ、自動車の性能情報等が表記される性能欄２Ｃ及び自動車に対する説明情報が表記される説明欄２Ｄとに区画されている。タイトル欄２Ａ及び画像欄２Ｂは、それぞれ上側の枠２を上下に分割した場合の上側の領域に配置され、性能欄２Ｃ及び説明欄２Ｄは、下側の領域に配置されている。なお、性能欄２Ｃを拡大した内容を図３に、枠３を拡大した内容を図４に、それぞれ示している。
【００３５】
タイトル欄２Ａには、車種の売り文句を表示するための文字のサイズを大きめかつ縦書きで表記し、価格帯を表示するための文字は所定の背景色の上に横書き形式で表記している。
【００３６】
また、画像欄２Ｂは、自動車の全体像を表示するための画像を全体の略３分の２を占める領域に配置し、自動車の各パーツを表示するための３つの画像を、残り３分の１の領域をさらに縦の区画線により３分割した領域にそれぞれ配置している。
【００３７】
図３に示したように性能欄２Ｃには、例えば、当該車種の「サイズ」、「小回り何メートルか？」、「見積り価格」、「ボディカラー」、「ドアの数」、「４ＷＤの有無」、「ガソリンの種類」、「１リットルで何キロ走れるか？」、「何人乗れるか？」といった情報が表記される。「ボディカラー」には、該当する色がそれぞれ表示される。
【００３８】
説明欄２Ｄには、タイトル欄２Ａに表記された車種の売り文句の詳細な内容が表記される。説明のための文字は、売り文句を表示するための文字よりも小さいサイズかつ縦書き形式で表記される。
【００３９】
一方、図４に示すように下側の枠３内も更に細分して区画されており、各販売店に関する情報が表記される個別販売店欄４を、枠３内を３段に分割した領域に、縦方向に列設している。さらに、この個別販売店欄４には、販売店の位置を示す位置情報が表記される項目欄と、販売店における対象時点の自動車の取り扱い状況を示す現車情報が表記される項目欄とを設け、これらを横方向に並設している。なお、販売店の数が３段に分割した領域に表記可能な数に満たない場合には、枠３内の余った領域を他の情報が表記される欄として利用することが望ましい。
【００４０】
具体的には、個別販売店欄４には、店名が表記される店名欄、住所が表記される住所欄、電話番号が表記される電話番号欄、車種が展示されているか否かを示す展示車情報と車種が試乗可能かどうかを示す試乗車情報が表記される展示車／試乗車欄、そして、地図が掲載されているページが表記されるＭＡＰ欄とを設け、これらをそれぞれが対応するタイトル欄４Ａ〜４Ｅの配置と合致するように配置している。つまり、店名タイトル欄４Ａ、住所タイトル欄４Ｂ、ＴＥＬタイトル欄４Ｃ、展示車／試乗車タイトル欄４Ｄ、ＭＡＰタイトル欄４Ｅは、これらを順番に横方向に配置しているので、店名欄、住所欄、電話番号欄、展示車／試乗車欄及びＭＡＰ欄も順番に横方向に配置される。なお、各個別販売店欄４は、タイトル欄４Ａ〜４Ｅの下側に配置されている。また、本実施形態では、枠３内を３段に分割したうちの１の領域のみに、タイトル欄４Ａ〜４Ｅを設けているが、他の領域にもタイトル欄４Ａ〜４Ｅを設けてもよい。なお、各欄の順番は、タイトル欄の変更に応じて変更可能である。例えば、展示車／試乗車欄４ＤとＭＡＰ欄４Ｅとの配置を入れ替えてもよい。
【００４１】
本実施形態では、展示車情報と試乗車情報は、展示あるいは試乗の有無を異なる記号（「○」は可、「△」は要問合せ、「-」は不可を示す）で表記している。なお、展示車情報と試乗車情報の有無を示す情報は、記号に限られず、文字（例えば「可」「不可」「要問合せ」等）によって表記することも可能である。また、色の相違によって表記してもよい。記号「△」が付与された展示車情報及び試乗車情報は、問合せを受けてから販売店側で実車を用意する、若しくは販売店側で実車を用意できない場合など、販売店側に何らかの事情が存在する場合に付与することができる。そして、これら記号の近傍に、実車の手配状況を調査した日時に加えて、最新の実車の手配状況が変わっている可能性がある旨を付記して、現実と記号表記の内容が相違する可能性があることを消費者に告知することが望ましい。また、個別販売店欄４は、販売店の地域別（例えば市町村別、ナンバープレートの管轄別等）に並べられる。これらの地域別の区分は、雑誌の版を用意する場合の区分として利用することもできる。
【００４２】
なお、本実施形態では、枠や欄を区切る区画線を、表記される情報を認識しやすいように、所定の区画線については消色し、所定の区画線については任意の色でカラー表示している。また、区画線の太さも異なるように設定している。さらに、これら区画線を表示する色、表記される文字の色、背景色等を同色とすることで、より見やすいレイアウトを実現している。
【００４３】
［販売店情報掲載部のレイアウト］
図５に示すように、自動車情報誌１の販売店情報掲載部１Ｃには、見開いた状態における対向するそれぞれのページに、枠５及び枠６が設けられている。右側の枠５内には、販売店が取り扱う自動車に関する情報が表記され、左側の枠６内には、各販売店における車種毎の展示車及び試乗車に関する情報や販売店の地図情報が表記される。
【００４４】
右側の枠５内は更に縦横の区画線により細分して区画され、具体的には、販売店の売り文句と取り扱い車種の情報が表記されるタイトル欄５Ａ、自動車の画像データが表記される画像欄５Ｂ、販売店の宣伝情報等が表記される情報欄５Ｃとに区画されている。タイトル欄５Ａは、縦の区画線によりページを左右に分割して得られる右側の領域であって、ページの開放端付近に配置されている。画像欄５Ｂと情報欄５Ｃは、ページを左右に分割して得られる左側の領域であって、画像欄５Ｂは当該領域をさらに上下２つに分割した場合の上側の領域に、情報欄５Ｃは下側の領域に、それぞれ配置されている。
【００４５】
タイトル欄５Ａには、販売店の売り文句を表記するための文字が大きいポイント（サイズ）かつ縦書き形式で上側に表示される。また、販売店が取り扱う車種の情報が、車種を表す画像データと車種の名前とが並設された状態で、下側に表示されている。
【００４６】
画像欄５Ｂは、自動車の画像データが表記される大小任意の大きさで設定される複数の欄をさらに備え、各欄には、自動車の全体像を示す画像データや、自動車の一部を示す画像データが、配置される。
【００４７】
情報欄５Ｃもまた、販売店の宣伝情報等が表記される大小任意の大きさで設定される複数の欄をさらに備え、各欄には、販売店の宣伝情報を表示する文字が、売り文句を表記するための文字のポイントよりも小さいポイントかつ縦書き形式で表記される。なお、画像欄５Ｂ及び情報欄５Ｃに対する区画線は、販売店が希望する情報の形態に応じて設定することが望ましい。
【００４８】
一方、左側の枠６内も更に細分して区画され、具体的には、複数の販売店と複数の車種について、販売店毎車種毎に展示車及び試乗車の有無が特定可能な情報が表記されるマトリクス欄６Ａと、各販売店の地図情報を表記した地図欄６Ｂとに区画されている。マトリクス欄６Ａは、ページを上下に分割して得られる上側の領域に配置され、地図欄６Ｂは、下側の領域に配置されている。なお、マトリクス欄６Ａを拡大した内容を図６に、地図欄６Ｂの拡大した内容を図７に、それぞれ示している。
【００４９】
図６に示すようにマトリクス欄６Ａには、販売店の数に応じて設定された行数と、販売店が取り扱う車種の数に応じて設定された列数とから構成されるマトリクス表が表記される。そして、それぞれの行と列とが交差する箇所（欄）には、対応する行に表記された販売店における、対応する列に表記された車種の展示の有無及び／または試乗の有無を示す情報が表記される。本実施形態では、車種の展示の有無及び／または試乗の有無を示す情報は、所定の記号及び色で表記されている。例えば、「星型形状の記号（★）」は、展示車・試乗車あり、「××色の円形状の記号（○）」は、展示車あり、「××色の円形状の記号（○）」は、試乗車あり、という意味である。なお、マトリクス欄６Ａの列方向に記載される車種は、タイトル欄５Ａに表記された車種と同一の車種が表示される。
【００５０】
地図欄６Ｂには、下側の領域を販売店の数に合わせて分割して得られるそれぞれの升目に、各販売店の名称、電話番号、住所及び地図が表記されている。本実施形態に係る地図は、図７に示すように、例えば、販売店の最寄の駅から販売店への行き方を示したものである。
【００５１】
［自動車情報誌の使用方法］
次に、本実施形態にかかる自動車情報誌１の使用方法について説明する。まず、本実施形態に係る自動車情報誌を購入した利用者は、表紙をめくると最初に自動車情報掲載部１Ｂに掲載された自動車情報を参照して、所望する車種を選定する。自動車情報掲載部１Ｂでは、枠２の上部分に画像欄２Ｂが設けられているので、例えば各ページの上部分だけを見ながら全てのページを流し読みするといった読み方が可能である。利用者は、ページをめくりながら、目線を右から左へと移動させて次々と画像欄２Ｂに配置された画像データを確認する。また、タイトル欄２Ａには、比較的大きなサイズで文字が表示されているので、画像欄２Ｂと一緒にタイトル欄２Ａを読み流すことも十分可能である。そして、利用者は、気に入った車種を発見すると、当該ページで手を止める。利用者は、画像欄２Ｂに表記された画像データから、画像欄２Ｂの下に付設された性能欄２Ｃへ視線を移動し、性能欄２Ｃに記載された、例えば、当該車種の「サイズ」、「小回り何メートルか？」また「見積り価格」等をチェックする。また、画像欄２Ｂや性能欄２Ｃに隣接して設けられた説明欄２Ｄへ視線を移動し、説明欄２Ｄに比較的小さなサイズで文字が表示された当該車種についての詳細な内容を読むことができる。
【００５２】
そして、利用者は、この車種を購入候補として決定した場合には、次に販売店の選定作業に移行するために、枠３に設けられた個別販売店欄４に視線を移動する。個別販売店欄４には、地域別にリスト表示されており、従来であれば、利用者は、自分のアクセスが良い地域を選定する可能性が高い。しかし、地域情報のみで販売店を選定した場合には、訪問してみないと、実際にその車種が展示されているか否かはわからないし、ましてや、試乗できるかどうかも問題である。
【００５３】
しかし、本発明に係る自動車情報誌では、販売店における対象時点の自動車の取り扱い状況を示す現車情報が表記される項目欄が、販売店の位置情報が表記される項目欄に並設して設けられている。従って、利用者は、位置情報に従って選定した販売店の展示車情報や試乗車情報を、視線をほぼ移動することなく確認することができるようになる。
【００５４】
一方、利用者によっては、所望の車種を選定したら、とりあえずその車種を見て確認したい、または乗ってみたい、と考える場合も少なくない。このような場合に販売店の選定作業においてまず重要になるのは、当該車種を展示しているまたは試乗可能にしている販売店を選定することである。本発明では、展示車情報及び試乗車情報を列設しているので、利用者は、販売店情報の中から展示車情報及び試乗車情報のみを認識して容易に比較検討することができる。また、展示車情報及び試乗車情報を、記号や色で表記しているので、文字で表された位置情報等からの識別が容易であり、その結果、個別販売店欄４を一瞥して、展示車情報が展示可（丸形状の記号（○））である販売店、または試乗車情報が試乗可（丸形状の記号（○））である販売店を特定し、続いて、このようにして特定した販売店の位置情報を確認することができるようになる。
【００５５】
以上によれば、本実施形態にかかる自動車情報誌によれば、自動車に関する情報を表記する枠２と、販売店に関する情報を表記する枠３を並設して同一ページ内に収めたので、利用者が購入候補である車種を決定した場合に、車種情報が表記された枠２から販売店情報が表記された枠３への視線の移動が容易である。よって、車種選定作業から販売店の選定作業への移行をスムーズに行うことができるようになる。
【００５６】
さらに、販売店に関する情報を表記する枠３には、個別販売店欄４を地域別にリスト表示しているので、利用者は、リスト表示された複数の販売店の中から自分が所望する地域に属する販売店を適宜決定することができる。
【００５７】
また、個別販売店欄４には、車種が展示されているか否かを示す展示車情報と車種が試乗可能かどうかを示す試乗車情報を表記しているので、枠２に表記された車種がどの販売店に展示されているのか、また、どの販売店で試乗できるのかを自動車情報誌から容易に把握することができる。つまり、個別販売店欄４には、車種が展示されているか否かを示す展示車情報と車種が試乗可能かどうかを示す試乗車情報が表記される展示車／試乗車欄を設け、これらを列設しているので、情報が見やすくなり、これらの比較検討が容易になる。また、展示車情報及び試乗車情報を、記号や色で表記しているので、文字で表された位置情報等からの識別が容易であり、選定作業を効率的に行うことができるようになる。
【００５８】
なお、利用者が販売店を決定した後は、販売店情報掲載部１Ｃの該当する販売店のページを探して、販売店の情報を取得することができる。販売店情報掲載部１Ｃは、そのタイトル欄５Ａに、販売店が取り扱う車種の情報が、車種を表す画像データと車種の名前とが並設された状態で表示されている。また、画像欄５Ｂは、取り扱う車種の画像データが表記され、情報欄５Ｃには、販売店の宣伝情報等が表記されている。利用者は、これらの欄から自分に必要な情報等を確認することができる。
【００５９】
また、左側の枠６内には、複数の販売店と複数の車種について、販売店毎車種毎に展示車及び試乗車の有無が特定可能な情報が表記されるマトリクス欄６Ａが設けられている。よって、利用者が複数の車種について検討している場合や、複数の販売店について検討している場合には、このマトリクス欄６Ａに表記されたマトリクス表から、最適な販売店を容易に選択することができる。例えば、車種Ａ及びＢについて購入を考えている場合には、マトリクス表から、車種Ａと車種Ｂの両方が展示されかつ試乗できる販売店を選定することができる。  例示として自動車情報誌について説明したが、ネットワーク上のウェブサイトにおいて同様の情報提供レイアウトを実現することができる。この場合、図２〜７に示した表示情報が、適宜、テキスト情報や画像情報を組み合わせてたＨＴＭＬファイルとして用意される。
【００６０】
［第２の実施の形態］
本実施形態に係る自動車情報誌は、自動車の車種を選定するためのページに、その車種を取り扱うディーラのサービス情報を表記するという新規かつ斬新なアイデアに基づくものである。そして、ディーラにおけるサービス情報を利用者が把握しやすい形式でページ上に配置することにより、車種選定及びディーラ選定（販売店選定）の双方に最適な自動車情報誌を提供することを可能にするものである。
【００６１】
次に、本発明の実施の形態について、図８乃至図１１を参照しつつ説明する。なお、本実施形態は、自動車情報掲載部のレイアウトが上記第１の実施形態と異なるものの、自動車情報誌１の全体構成や販売店情報掲載部１Ｃの構成などは、第１の実施の形態にて説明したものと同様であるため、ここでは説明を省略する。以下、第１の実施形態における自動車情報掲載部のレイアウトをレイアウト１、本実施形態における自動車情報掲載部のレイアウトをレイアウト２と呼ぶものとする。また、レイアウト２における車種情報およびディーラのサービス情報の配置方法には、複数の形態が適用可能であり、ここでは、レイアウト２Ａ、レイアウト２Ｂ、レイアウト２Ｃおよびレイアウト２Ｄについて説明する。
【００６２】
［自動車情報掲載部のレイアウト］
［レイアウト２Ａ］
図８は、本発明に係る自動車情報誌を構成する自動車情報掲載部の、任意の１ページ内のレイアウト（レイアウト２Ａ）を示す正面図である。
【００６３】
図８に示すように、自動車情報誌１０の自動車情報掲載部１０ｂの各ページには、横方向の区画線により分割した上側の枠２０及び下側の枠３０が設けられている。上側の枠２０及び下側の枠３０の各領域がページ全体に対して占める割合は、任意にこれを設定することができるが、ここでは、上側の枠２０がページ全体に対して占める割合は、下側の枠３０がページ全体に対して占める割合よりも小さく設定されている。
【００６４】
上側の枠２０は、自動車に関する情報が表記される枠（以下、「自動車情報掲載枠２０」という）であり、下側の枠３０は、ディーラに関する情報が表記される枠（以下、「ディーラ情報掲載枠３０」という）である。上側の枠２０は、自動車情報掲載部１０ｂの各ページを利用者が連続的に閲覧する際に、見出しのような感覚を与えるように配置される。なお、図８に示した自動車情報掲載部１０ｂは、当該ページを見開いた場合に、利用者から見て右側に位置するページである。
【００６５】
なお、これら本実施形態に係る図面にて所定の領域を示す鎖線は、説明の便宜上表したものであり、本実施形態に係る自動車情報誌のレイアウトを構成するものではない点は、第１の実施形態にて説明したとおりである。例えば、図８における枠２０及び枠３０の四囲は、所定の鎖線で表されているが、これらは枠２０及び枠３０の領域を説明するために便宜上用いたものであり、本実施形態に係る自動車情報誌のページ上には表記されていないものである。
【００６６】
上側領域に配置される自動車情報掲載枠２０は、更に縦方向の複数の区画線により細分されて、複数の欄に区画される。具体的には、自動車情報掲載枠２０は、自動車の画像データが表記される画像欄２０Ａ、自動車に対する売り文句や説明情報が表記される説明欄２０Ｂ、自動車の性能情報等が表記される性能欄２０Ｃを備え、各欄は、左方向から右方向へ向けて配置される。画像欄２０Ａ、説明欄２０Ｂ、性能欄２０Ｃは、それぞれ、図２に示す画像欄２Ｂ、タイトル欄及び説明欄２Ｄ、性能欄２Ｃに対応する機能を備えるものであり、同等の情報が表記される。よって、ここでは、各欄に表記される情報についての説明は、省略する。
【００６７】
下側領域に配置されるディーラ情報掲載枠３０は、更に横方向の区画線により細分されている。具体的には、ディーラ情報掲載枠３０は、各ディーラの情報が表記される個別ディーラ欄４０を、掲載すべきディーラの数に応じて備えており、各欄４０は、縦方向に配置される。図８では、４つのディーラについて情報を掲載すべく、個別ディーラ欄４０が４つ設けられているが、個別ディーラ欄４０は、掲載すべきディーラの数に応じて設けることができる。
【００６８】
各個別ディーラ欄４０は、ディーラのサービスに関する情報が表記される項目欄（サービス情報欄）４０Ａと、ディーラの販売店の位置を示す位置情報が表記される項目欄（位置情報欄）４０Ｂと、を備え、これらは横方向に並設されている。
【００６９】
サービス情報欄４０Ａには、ディーラが提供する試乗車に関する情報（図８の「見て、触れて、乗って！ＤＶＤナビ付きの○○○特別仕様車を全ショールームで展示中！」を参照）や、来店者が各店舗でもらえる景品や利用できる特典や施設（図８の「○○○に触れよう  試乗した方の中から毎週抽選でオリジナルマグカップをプレゼント」を参照）、キャンペーンなどに関する情報といった、ディーラのサービスに関する情報が表記される。サービス情報の一部もしくは全部の文字（特に売り文句）は、利用者がそのディーラを容易に識別することが出来るように他の文字よりも大きいサイズで表記されることが望ましい。サービス情報は、文字、記号および画像など任意の表記形態で表記されることができる。
【００７０】
また、位置情報欄４０Ｂは、図４に示す個別販売店欄４に対応しており、図４の個別販売店欄４に表記される情報と同等の情報を表記することができるので、ここでは、説明を省略する。また、位置情報欄４０Ｂには、ディーラの販売店の位置を示す位置情報に代えて／または位置情報とともに、販売店情報部１Ｃの対応する詳細なページを示すリンク情報を表記することができる。図８の「詳細＞＞＞１０９Ｐ」とは、当該ディーラの販売店の詳細情報は、販売店情報部１Ｃの１０９ページに記載されていることを示している。
【００７１】
以上の構成によれば、自動車情報掲載部１０ｂのディーラ情報掲載枠３０には、各ディーラの販売店の位置情報のみならず、ディーラが提供する様々なサービス情報が表記されているので、利用者は、所望の車種を選択した後、その車種を取り扱う各ディーラの詳細な情報をその場で入手することができるようになる。例えば、利用者は、自動車情報掲載部１０Ｂと販売店情報掲載部１Ｃとを行き来しなくても、車種及びディーラを選択することが可能になる。その結果、車種の選択とサービス内容に従うディーラの選択を、同時に実行することが可能になる。
【００７２】
また、サービスにより所望のディーラを特定したユーザは、位置情報欄４０Ｂのリンク情報を参照することで、自動車情報掲載部１０Ｂから販売店情報掲載部１Ｃへの移行を、よりスムーズに進めることができるようになる。
【００７３】
また、個別ディーラ欄４０は、左側領域にサービス情報欄４０Ａを、右側領域に位置情報欄４０Ｂを配置しているので、利用者は、まず、左側領域のみを斜め読みしながら各ディーラのサービス内容を比較検討することができるようになる。また、特定のサービスが気に入ったら、そのサービスの位置情報欄４０Ｂつまり右側領域へ視線を移動して、販売店情報を閲覧すればよいので、より効率的に販売店を選択することができるようになる。
【００７４】
［レイアウト２Ｂ］
次に、本実施形態に係る自動車情報誌の他のレイアウトについて説明する。図９は、本実施に係る自動車情報誌を構成する自動車情報掲載部の、任意の１ページ内の他のレイアウト（レイアウト２Ｂ）を示す正面図である。
【００７５】
上記レイアウト２Ａは、１ページに１つの車種情報を掲載する構成であるが、レイアウト２Ｂは、１ページに複数の車種情報を掲載する構成を採用する。具体的には、レイアウト２Ｂは、１ページを縦方向に分割して複数の領域を設け、領域ごとに１つの車種情報を掲載する。
【００７６】
図９に示すように、自動車情報誌１０の自動車情報掲載部１００ｂの各ページには、縦方向の区画線により分割した複数の枠１００ｂ’と１００ｂ’’が設けられている。ここでは、枠１００ｂ’を左の枠、枠１００ｂ’’を右の枠と呼ぶものとする。上述したようにレイアウト２Ｂは、枠ごとに１の車種情報を掲載するという構成であるので、左右の枠１００ｂ’と１００ｂ’’は、基本的に同じレイアウトである。以下、左の枠１００ｂ’について説明を行い、右の枠１００ｂ’については説明を省略する。
【００７７】
左の枠１００ｂ’には、さらに横方向の区画線により分割した上下の枠２００及び３００が設けられている。上側の枠２００は、自動車に関する情報が表記されるための枠（以下、「自動車情報掲載枠２００」という）であり、下側の枠３００内は、ディーラに関する情報が表記されるための枠（以下、「ディーラ情報掲載枠３００」という）である。なお、図９に示した自動車情報掲載部１０ｂは、当該ページを見開いた場合に、利用者から見て左側に位置するページである。
【００７８】
上側領域に配置される自動車情報掲載枠２００内は、更に横の区画線により細分されている。具体的には、自動車情報掲載枠２００は、自動車の画像データが表記される画像欄２００Ａ、自動車に対する売り文句や説明情報が表記される説明欄２００Ｂ、自動車の性能情報等が表記される性能欄２００Ｃ、に区画されている。画像欄２００Ａ、説明欄２００Ｂ、性能欄２００Ｃは、それぞれ、図２に示す画像欄２Ｂ、タイトル欄及び説明欄２Ｄ、性能欄２Ｃに対応する機能を備え、各欄と同等の情報が表記されるので、ここでは説明を省略する。
【００７９】
一方、下側領域に配置されるディーラ情報掲載枠３００内も、更に横の区画線により細分されている。具体的には、ディーラ情報掲載枠３０は、ディーラのサービスに関する情報が表記される項目欄（サービス情報欄）３００Ａと、ディーラの販売店の位置を示す位置情報が表記される項目欄（位置情報欄）３００Ｂと、を備え、これらは縦方向に並設される。
【００８０】
サービス情報欄３００Ａは、図９に示すサービス情報欄４０Ａに対応する機能を備え、各欄と同等の情報（例えば、キャンペーン文句、展示車の画像など）が表記されるので、ここでは説明を省略する。
【００８１】
また、位置情報欄４０Ｂは、図４に示す個別販売店欄４に対応しており、図４の個別販売店欄４に表記される情報と同等の情報（例えば、店名、住所、ＴＥＬ、展示車／試乗車など）を表記することができるので、ここでは、説明を省略する。
【００８２】
ディーラ情報掲載枠の構成は、掲載すべきディーラの数に応じて設定することが可能である。例えば、左の枠１００ｂ’に属するディーラ情報掲載枠３００は、掲載すべきディーラが１の場合の例であり、右の枠１００ｂ’’に属するディーラ情報掲載枠３１０は、掲載すべきディーラが複数の場合の例である。複数のディーラに関するサービス情報欄３１０Ａには、複数のディーラのサービスに関する情報が表記され、位置情報欄３１０Ｂには、複数のディーラの販売店に関する住所情報が連記される。
【００８３】
上記構成によれば、消費者は、車種情報と特定した車種を取り扱うディーラのサービス情報を同時に閲覧することができるようになるので、その場で自身が希望する車種およびサービスを提供するディーラを特定することが可能になる。
【００８４】
また、上記構成によれば、１ページを縦方向に分割して、分割された領域のそれぞれに、自動車情報とディーラ情報を表記することとしたので、いちどにより多くの情報を閲覧し比較することが可能なる結果、より効率的に情報を閲覧することができるようになる。
【００８５】
［レイアウト２Ｃ］
次に、本実施形態に係る自動車情報誌の他のレイアウトについて説明する。図１０は、本実施に係る自動車情報誌を構成する自動車情報掲載部の、任意の１ページ内の他のレイアウト（レイアウト２Ｃ）を示す正面図である。
【００８６】
レイアウト２Ｃは、レイアウト２Ｂの変形例である。レイアウト２Ｂの構成では、ディーラの情報を掲載するための領域が各枠の下側の領域に限定されているため、１の車種情報に対して掲載すべきディーラの数が複数ある場合に、各ディーラの情報を削減する必要などが生じる場合がある。そこで、レイアウト２Ｃは、レイアウト２Ｂのように領域（左右の枠）ごとに１の車種情報を掲載する構成ではなく、ページごとに１の車種情報を掲載する構成を採用し、ディーラの情報を、枠を超えて掲載するように構成した。
【００８７】
レイアウト２Ｃでは、１ページを縦方向の区画線により分割した領域に対して、左上方向から右下方向へ向けて各枠（自動車情報掲載枠２００、ディーラ情報掲載枠３００）を順番に配置する。ディーラ情報掲載枠３００は、ディーラの数に応じた枠が配置される。なお、枠を配置する方法は、雑誌の仕様などに応じて、右方向から左方向へ配置するように構成してもよい。
【００８８】
図１０では、左側の枠１００ｂ’の上側領域に自動車情報掲載枠２００が配置され、左側の枠１００ｂ’の下側領域にディーラ情報掲載枠３００を配置されるとともに、右側の枠１００ｂ’の上側領域にもディーラ情報掲載枠３００’が配置されている。
【００８９】
ディーラ情報掲載枠３００は、掲載すべきディーラの数に応じて設定することができるので、例えば、ディーラが３つの場合には、第１のディーラ情報掲載枠３００、第２のディーラ情報掲載枠３００’に加えて、右側の枠１００ｂ’の下側領域に第３のディーラ情報掲載枠３００’’（図示せず）を配置することもできる。
【００９０】
なお、自動車情報掲載枠２００およびディーラ情報掲載枠３００の構成は、レイアウト２Ｂの左の枠１００ｂ’における自動車情報掲載枠２００およびディーラ情報掲載枠３００と同様であるので、ここでは説明を省略する。
【００９１】
上記構成によれば、レイアウト２Ｂおよび２Ｃの構成による効果に加えて、１の車種に対して掲載すべきディーラが複数存在するような場合やディーラのサービス情報などが多い場合でも、これらの情報をページ内に収めて表記することができるようになる。
【００９２】
［レイアウト２Ｄ］
次に、本実施形態に係る自動車情報誌の他のレイアウトについて説明する。図１１は、本実施に係る自動車情報誌を構成する自動車情報掲載部の、任意の１ページ内の他のレイアウト（レイアウト２Ｄ）を示す正面図である。
【００９３】
レイアウト２Ｄは、レイアウト２Ｂおよび２Ｃの変形例である。レイアウト２Ｄは、ディーラの情報を、枠を超えて掲載するように構成した点で、レイアウト２Ｃの構成と同じであるが、ディーラ情報掲載枠３００の構成がレイアウト２Ｃと異なっている。
【００９４】
具体的には、レイアウト２Ｃでは、１のディーラ情報掲載枠には１のディーラの情報を表記するように構成していたが、１のディーラ情報掲載枠に複数のディーラの情報を表記するように構成する。
【００９５】
図１１に示すように、レイアウト２Ｄにおけるディーラ情報掲載枠３２０は、１のサービス情報欄３２０Ａに対して複数のディーラのサービスに関する情報が表記されるとともに、１の位置情報欄３２０Ｂに対して複数のディーラの販売店の位置情報が表記されている。
【００９６】
上記構成によれば、レイアウト２Ｂおよび２Ｃの構成による効果に加えて、１の車種に対して掲載すべきディーラが複数存在するような場合やディーラのサービス情報などが多い場合でも、これらの情報を１ページ内に収めて表記することができるようになる。
【図面の簡単な説明】
【００９７】
【図１】本発明に係る自動車情報誌を示す斜視図である。
【図２】本発明に係る自動車情報誌を構成する自動車情報掲載部の、任意の１ページ内のレイアウト（レイアウト１）の一例を示す正面図である。
【図３】図２に記載したレイアウトの一部を拡大した部分拡大図である。
【図４】図２に記載したレイアウトの一部を拡大した部分拡大図である。
【図５】本発明に係る自動車情報誌を構成する販売店情報掲載部の、任意の見開きページ内のレイアウトを示す正面図である。
【図６】図５に記載したレイアウトの一部を拡大した部分拡大図である。
【図７】図５に記載したレイアウトの一部を拡大した部分拡大図である。
【図８】本発明に係る自動車情報誌を構成する自動車情報掲載部の、任意の１ページ内のレイアウトの一例（レイアウト２Ａ）を示す正面図である。
【図９】本発明に係る自動車情報誌を構成する自動車情報掲載部の、任意の１ページ内のレイアウトの一例（レイアウト２Ｂ）を示す正面図である。
【図１０】本発明に係る自動車情報誌を構成する自動車情報掲載部の、任意の１ページ内のレイアウトの一例（レイアウト２Ｃ）を示す正面図である。
【図１１】本発明に係る自動車情報誌を構成する自動車情報掲載部の、任意の１ページ内のレイアウトの一例（レイアウト２Ｄ）を示す正面図である。
【符号の説明】
【００９８】
１…自動車情報誌
１Ａ…表紙
１Ｂ…自動車情報掲載部
１Ｃ…販売店情報掲載部
２、３…枠
２Ａ…タイトル欄
２Ｂ…画像欄
２Ｃ…性能欄
２Ｄ…説明欄
４…個別販売店欄
４Ａ…店名タイトル欄
４Ｂ…住所タイトル欄
４Ｃ…電話番号タイトル欄
４Ｄ…展示車／試乗車タイトル欄
４Ｅ…ＭＡＰタイトル欄
【図１】
2004351920.tif 000003
【図２】
2004351920.tif 000004
【図３】
2004351920.tif 000005
【図４】
2004351920.tif 000006
【図５】
2004351920.tif 000007
【図６】
2004351920.tif 000008
【図７】
2004351920.tif 000009
【図８】
2004351920.tif 000010
【図９】
2004351920.tif 000011
【図１０】
2004351920.tif 000012
【図１１】
2004351920.tif 000013